(57)【特許請求の範囲】
【請求項１】
ケーブルの端部に設けられたコネクターと、
複数の前記コネクターが着脱される中継コネクターと、
前記中継コネクターが取り付けられる取付面を有するシャーシと、
前記コネクターを介さない非コネクターケーブルと、
を備え、
前記中継コネクターは、前記取付面に対向配置される対向面と、前記対向面の端縁から立設される複数の側面と、前記対向面の反対側に配置される反対面と、を有し、
前記シャーシには、前記中継コネクターの前記複数の側面のうちの第１方向に配置される第１側面に対向配置され、前記中継コネクターが前記第１方向に移動するのを規制する第１規制部と、前記中継コネクターの前記複数の側面のうちの前記第１方向とは反対の第２方向に配置される第２側面に対向配置され、前記中継コネクターが前記第２方向に移動するのを規制する第２規制部と、前記中継コネクターの前記反対面に対向配置され、前記中継コネクターが前記取付面とは反対側に移動するのを規制する反対面規制部と、が一体形成され、
前記非コネクターケーブルは、前記第２規制部と前記中継コネクターとの間に挿通されていることを特徴とする中継コネクターの取付構造。
【請求項２】
ケーブルの端部に設けられたコネクターと、
複数の前記コネクターが着脱される中継コネクターと、
前記中継コネクターが取り付けられる取付面を有するシャーシと、
を備え、
前記中継コネクターは、前記取付面に対向配置される対向面と、前記対向面の端縁から立設される複数の側面と、前記対向面の反対側に配置される反対面と、を有し、
前記シャーシには、前記中継コネクターの前記複数の側面のうちの第１方向に配置される第１側面に対向配置され、前記中継コネクターが前記第１方向に移動するのを規制する第１規制部と、前記中継コネクターの前記複数の側面のうちの前記第１方向とは反対の第２方向に配置される第２側面に対向配置され、前記中継コネクターが前記第２方向に移動するのを規制する第２規制部と、前記中継コネクターの前記反対面に対向配置され、前記中継コネクターが前記取付面とは反対側に移動するのを規制する反対面規制部と、が一体形成され、
前記反対面規制部は、前記第２規制部に連続して形成されていることを特徴とする中継コネクターの取付構造。
【請求項３】
ケーブルの端部に設けられたコネクターと、
複数の前記コネクターが着脱される中継コネクターと、
前記中継コネクターが取り付けられる取付面を有するシャーシと、
を備え、
前記中継コネクターは、前記取付面に対向配置される対向面と、前記対向面の端縁から立設される複数の側面と、前記対向面の反対側に配置される反対面と、を有し、
前記シャーシには、前記中継コネクターの前記複数の側面のうちの第１方向に配置される第１側面に対向配置され、前記中継コネクターが前記第１方向に移動するのを規制する第１規制部と、前記中継コネクターの前記複数の側面のうちの前記第１方向とは反対の第２方向に配置される第２側面に対向配置され、前記中継コネクターが前記第２方向に移動するのを規制する第２規制部と、前記中継コネクターの前記反対面に対向配置され、前記中継コネクターが前記取付面とは反対側に移動するのを規制する反対面規制部と、前記中継コネクターの前記複数の側面のうちの前記第１方向および前記第２方向に対して垂直な第３方向に配置される第３側面に対向配置され、前記中継コネクターが前記第３方向に移動するのを規制する第３規制部と、前記中継コネクターの前記複数の側面のうちの前記第３方向とは反対の第４方向に配置される第４側面に対向配置され、前記中継コネクターが前記第４方向に移動するのを規制する第４規制部と、が一体形成され、
前記中継コネクターの前記第３側面および前記第４側面のそれぞれには、前記コネクターが取り付けられる取付凹部が形成され、
前記第３規制部および前記第４規制部には、前記コネクターを前記取付凹部に案内する傾斜面が形成されていることを特徴とする中継コネクターの取付構造。
【請求項４】
ケーブルの端部に設けられたコネクターと、
複数の前記コネクターが着脱される中継コネクターと、
前記中継コネクターが取り付けられる取付面を有するシャーシと、
を備え、
前記中継コネクターは、前記取付面に対向配置される対向面と、前記対向面の端縁から立設される複数の側面と、前記対向面の反対側に配置される反対面と、を有し、
前記シャーシには、前記中継コネクターの前記複数の側面のうちの第１方向に配置される第１側面に対向配置され、前記中継コネクターが前記第１方向に移動するのを規制する第１規制部と、前記中継コネクターの前記複数の側面のうちの前記第１方向とは反対の第２方向に配置される第２側面に対向配置され、前記中継コネクターが前記第２方向に移動するのを規制する第２規制部と、前記中継コネクターの前記反対面に対向配置され、前記中継コネクターが前記取付面とは反対側に移動するのを規制する反対面規制部と、前記中継コネクターの前記複数の側面のうちの前記第１方向および前記第２方向に対して垂直な第３方向に配置される第３側面に対向配置され、前記中継コネクターが前記第３方向に移動するのを規制する第３規制部と、前記中継コネクターの前記複数の側面のうちの前記第３方向とは反対の第４方向に配置される第４側面に対向配置され、前記中継コネクターが前記第４方向に移動するのを規制する第４規制部と、が一体形成され、
前記取付面の前記中継コネクターが配置される領域は、前記シャーシの厚み方向に凹んで形成されており、
前記第３規制部および前記第４規制部は、前記取付面の前記中継コネクターが配置される領域の縁部に形成される段差部によって構成されていることを特徴とする中継コネクターの取付構造。
【請求項５】
前記第３規制部および前記第４規制部の前記取付面に対する突出高さは、前記取付面から前記取付凹部までの距離よりも小さいことを特徴とする請求項３に記載の中継コネクターの取付構造。
【請求項６】
前記中継コネクターの前記第３側面および前記第４側面のそれぞれには、前記コネクターが取り付けられる取付凹部が形成されており、
前記取付面の前記中継コネクターが配置される領域とその周囲との段差は、前記中継コネクターの前記対向面から前記取付凹部までの距離よりも小さいことを特徴とする請求項４に記載の中継コネクターの取付構造。
【請求項７】
前記第１規制部は、前記取付面から突出するとともに、周囲の一部が切り欠かれることによって前記シャーシの厚み方向に弾性変形可能に形成されていることを特徴とする請求項１〜６のいずれか１項に記載の中継コネクターの取付構造。
【請求項８】
請求項１〜７のいずれか１項に記載の中継コネクターの取付構造を備えた電子機器。
【請求項９】
請求項１〜７のいずれか１項に記載の中継コネクターの取付構造を備えた画像形成装置。
【発明の詳細な説明】
【技術分野】
【０００１】
本発明は、中継コネクターの取付構造、電子機器および画像形成装置に関し、特に、取付面を有するシャーシに対する中継コネクターの取付構造、電子機器および画像形成装置に関する。
【背景技術】
【０００２】
画像形成装置やパーソナルコンピューター等の電子機器では、基板同士の間、基板と電子部品との間等の電気配線は、ケーブルで直接接続するだけでなく、ケーブルの端部にコネクターを設け、コネクターとコネクターとを中継コネクターを介して接続している。このような中継コネクターは、例えばネジやフックを用いてシャーシ等の被取付部材に取り付けられる。
【０００３】
なお、中継コネクターがネジを用いて被取付部材に取り付けられる構成は、例えば特許文献１に開示されている。
【先行技術文献】
【特許文献】
【０００４】
【特許文献１】特開２０１４−９３２４８号公報
【発明の概要】
【発明が解決しようとする課題】
【０００５】
しかしながら、中継コネクターをネジやフックを用いてシャーシ等の被取付部材に取り付ける構造では、ネジやフック等の取付部材が必要であるため、部品点数が増加するとともに、取付作業に時間がかかるという問題点がある。
【０００６】
本発明は、上記のような課題を解決するためになされたものであり、本発明の目的は、部品点数の増加を抑制するとともに、シャーシに対する中継コネクターの取付作業性を向上させることが可能な中継コネクターの取付構造、電子機器および画像形成装置を提供することである。
【課題を解決するための手段】
【０００７】
上記目的を達成するために、本発明の第１の構成の中継コネクターの取付構造は、ケーブルの端部に設けられたコネクターと、複数のコネクターが着脱される中継コネクターと、中継コネクターが取り付けられる取付面を有するシャーシと、を備える。中継コネクターは、取付面に対向配置される対向面と、対向面の端縁から立設される複数の側面と、対向面の反対側に配置される反対面と、を有する。シャーシには、中継コネクターの複数の側面のうちの第１方向に配置される第１側面に対向配置され、中継コネクターが第１方向に移動するのを規制する第１規制部と、中継コネクターの複数の側面のうちの第１方向とは反対の第２方向に配置される第２側面に対向配置され、中継コネクターが第２方向に移動するのを規制する第２規制部と、中継コネクターの反対面に対向配置され、中継コネクターが取付面とは反対側に移動するのを規制する反対面規制部と、が一体形成されている。
【発明の効果】
【０００８】
本発明の第１の構成によれば、シャーシには、中継コネクターが第１方向に移動するのを規制する第１規制部と、中継コネクターが第２方向に移動するのを規制する第２規制部と、中継コネクターが取付面とは反対側に移動するのを規制する反対面規制部と、が一体形成されている。これにより、ネジやフック等の取付部材を別途設けることなく、シャーシに一体形成された第１規制部、第２規制部および反対面規制部を用いて中継コネクターをシャーシに取り付けることができる。このため、部品点数の増加を抑制することができるとともに、シャーシに対する中継コネクターの取付作業性を向上させることができる。
【図面の簡単な説明】
【０００９】
【図１】本発明の第１実施形態の中継コネクターの取付構造を備えた画像形成装置の構成を示す断面図である。
【図２】本発明の第１実施形態の中継コネクターの取付構造を含むコンテナロック機構の構造を示した平面図である。
【図３】本発明の第１実施形態の中継コネクターの取付構造を示した斜視図である。
【図４】本発明の第１実施形態の中継コネクターの取付構造を示した断面斜視図である。
【図５】本発明の第１実施形態の中継コネクターを取り付けるシャーシの構造を示した斜視図である。
【図６】本発明の第１実施形態の中継コネクターをシャーシに取り付けた状態を示した斜視図である。
【図７】本発明の第２実施形態の中継コネクターの取付構造を示した斜視図である。
【図８】本発明の第２実施形態の中継コネクターの取付構造を示した断面斜視図である。
【図９】本発明の第２実施形態の中継コネクターを取り付けるシャーシの構造を示した斜視図である。
【図１０】本発明の第３実施形態の中継コネクターの取付構造を示した斜視図である。
【図１１】本発明の第３実施形態の中継コネクターの取付構造を示した断面斜視図である。
【図１２】本発明の第３実施形態の中継コネクターを取り付けるシャーシの構造を示した斜視図である。
【発明を実施するための形態】
【００１０】
以下、図面を参照しながら本発明の実施形態について説明する。
【００１１】
（第１実施形態）
図１は、本発明の第１実施形態の中継コネクター５２ａ〜５２ｄの取付構造を備えた画像形成装置（電子機器）１００の構成を示す断面図であり、ここではタンデム方式のカラー画像形成装置について示している。画像形成装置１００本体内には４つの画像形成部Ｐａ、Ｐｂ、Ｐｃ及びＰｄが、搬送方向上流側（図１では左側）から順に配設されている。これらの画像形成部Ｐａ〜Ｐｄは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００１２】
画像形成部Ｐａ〜Ｐｄには、各色の可視像（トナー像）を担持する感光体ドラム（像担持体）１ａ、１ｂ、１ｃ及び１ｄが配設されており、さらに駆動手段（図示せず）により図１において反時計回りに回転する中間転写ベルト８が各画像形成部Ｐａ〜Ｐｄに隣接して設けられている。
【００１３】
画像形成部Ｐａ〜Ｐｄの各々には、回転可能に配設された感光体ドラム１ａ〜１ｄと、感光体ドラム１ａ〜１ｄを帯電させる帯電器と、各感光体ドラム１ａ〜１ｄに画像情報を露光する露光装置と、感光体ドラム１ａ〜１ｄ上にトナー像を形成する現像装置３ａ、３ｂ、３ｃ及び３ｄと、感光体ドラム１ａ〜１ｄ上に残留した現像剤（トナー）等を除去するクリーニング部と、が設けられている。
【００１４】
パソコン等の上位装置から画像データが入力されると、各感光体ドラム１ａ〜１ｄ上に画像データに応じた静電潜像を形成する。現像装置３ａ〜３ｄには、それぞれシアン、マゼンタ、イエロー及びブラックの各色のトナーを含む二成分現像剤が所定量充填されている。なお、後述のトナー像の形成によって各現像装置３ａ〜３ｄ内に充填された二成分現像剤中のトナーの割合が規定値を下回った場合にはトナーコンテナ４ａ〜４ｄから対応する各現像装置３ａ〜３ｄにトナーが補給される。この現像剤中のトナーは、現像装置３ａ〜３ｄにより対応する感光体ドラム１ａ〜１ｄ上に供給され、静電的に付着することにより、露光装置からの露光により形成された静電潜像に応じたトナー像が形成される。
【００１５】
そして、感光体ドラム１ａ〜１ｄ上のシアン、マゼンタ、イエロー及びブラックのトナー像が中間転写ベルト８上に一次転写される。これらの４色の画像は、所定のフルカラー画像形成のために予め定められた所定の位置関係をもって形成される。
【００１６】
駆動モーター（図示せず）による駆動ローラー１１の回転に伴い中間転写ベルト８が反時計回りに回転を開始すると、用紙カセット１６内の転写紙Ｐが所定のタイミングで駆動ローラー１１とこれに隣接して設けられた二次転写ローラー９とのニップ部（二次転写ニップ部）へ搬送され、中間転写ベルト８上のフルカラー画像が転写紙Ｐ上に転写される。トナー像が転写された転写紙Ｐは用紙搬送路１８を通過して定着ユニット１３へと搬送される。
【００１７】
定着ユニット１３に搬送された転写紙Ｐは、定着ローラー対により加熱及び加圧されてトナー像が転写紙Ｐの表面に定着され、所定のフルカラー画像が転写紙Ｐに形成される。フルカラー画像が形成された転写紙Ｐは、複数方向に分岐した分岐部１４によって搬送方向が振り分けられ、そのまま（或いは、両面搬送路２０に送られて両面印刷された後に）、排出ローラー対１５によって排出トレイ１７に排出される。
【００１８】
次に、中継コネクター５２ａ〜５２ｄを含むコンテナロック機構３０について説明する。
【００１９】
コンテナロック機構３０は、トナーコンテナ４ａ〜４ｄの上方に配置されており、トナーコンテナ４ａ〜４ｄを画像形成装置１００本体から取り外せないようにロックする。具体的には、コンテナロック機構３０は図２に示すように、樹脂製のシャーシ４０と、トナーコンテナ４ａ〜４ｄに係合するフック部材３１ａ〜３１ｄと、フック部材３１ａ〜３１ｄを所定方向に付勢する付勢部材３２ａ〜３２ｄと、フック部材３１ａ〜３１ｄに係合するリンク部材３３ａ〜３３ｄと、リンク部材３３ａ〜３３ｄに係合するソレノイド３４ａ〜３４ｄと、を含んでいる。
【００２０】
フック部材３１ａ〜３１ｄは、回動中心Ｏａ〜Ｏｄを中心として回動可能に形成されている。付勢部材３２ａ〜３２ｄは、引張コイルバネからなり、フック部材３１ａ〜３１ｄを図２の時計回り方向に付勢する。これにより、フック部材３１ａ〜３１ｄがトナーコンテナ４ａ〜４ｄに係合し、ソレノイド３４ａ〜３４ｄのオフ状態ではトナーコンテナ４ａ〜４ｄは取り外せなくなる。一方、ソレノイド３４ａ〜３４ｄがオン状態になると、リンク部材３３ａ〜３３ｄがソレノイド３４ａ〜３４ｄに引っ張られて図２の上方向に移動し、フック部材３１ａ〜３１ｄが付勢部材３２ａ〜３２ｄの付勢力に抗して図２の反時計回り方向に回動する。これにより、フック部材３１ａ〜３１ｄによるトナーコンテナ４ａ〜４ｄのロックが解除され、トナーコンテナ４ａ〜４ｄを画像形成装置１００本体から取り外すことが可能となる。なお、以下に説明するケーブル５０ａ〜５０ｄによって、ソレノイド３４ａ〜３４ｄは個別にオンオフ制御可能となっている。
【００２１】
シャーシ４０には、ソレノイド３４ａ〜３４ｄを動作させるためのケーブル５０ａ〜５０ｄが取り付けられている。具体的には、ソレノイド３４ｄには２本のケーブル５０ｄが接続されており、ケーブル５０ｄはシャーシ４０に設けられた複数のケーブル係合部４１ａおよび４１ｂに掛けられて図２の左端に引き出されている。ケーブル５０ｄは、コネクター５１（図３参照）および中継コネクター５２ｄを介してシャーシ４０の左端に引き出されている。また、ソレノイド３４ａ〜３４ｄとは電気的に接続されないケーブル５３が、シャーシ４０の右端からソレノイド３４ｄの近傍を通過し、シャーシ４０の左端に引き出されている。ケーブル５０ｄおよび５３は、中継コネクター５２ｄ近傍では別々の経路を通過しているが、それ以降は同じ経路を通過している。
【００２２】
ソレノイド３４ｃには２本のケーブル５０ｃが接続されており、ケーブル５０ｃは複数のケーブル係合部４１ａおよび４１ｂに掛けられて図２の左端に引き出されている。ケーブル５０ｃは、コネクター５１および中継コネクター５２ｃを介してシャーシ４０の左端に引き出されている。ケーブル５０ｃとケーブル５０ｄおよび５３とは、中継コネクター５２ｃ近傍では別々の経路を通過しているが、それ以降は同じ経路を通過している。
【００２３】
ソレノイド３４ｂには２本のケーブル５０ｂが接続されており、ケーブル５０ｂは複数のケーブル係合部４１ａおよび４１ｂに掛けられて図２の左端に引き出されている。ケーブル５０ｂは、コネクター５１および中継コネクター５２ｂを介してシャーシ４０の左端に引き出されている。ケーブル５０ｂとケーブル５０ｃ、５０ｄおよび５３とは、中継コネクター５２ｂ近傍では別々の経路を通過しているが、それ以降は同じ経路を通過している。
【００２４】
ソレノイド３４ａには２本のケーブル５０ａが接続されており、ケーブル５０ａはケーブル係合部４１ｂに掛けられて図２の左端に引き出されている。ケーブル５０ａは、コネクター５１および中継コネクター５２ａを介してシャーシ４０の左端に引き出されている。ケーブル５０ａとケーブル５０ｂ、５０ｃ、５０ｄおよび５３とは、中継コネクター５２ａ近傍では別々の経路を通過しているが、シャーシ４０の左端部で１つに束ねられている。
【００２５】
次に、中継コネクター５２ｄ周辺の詳細構造について説明する。なお、以下の説明では中継コネクター５２ｄ周辺の構造を例示するが、中継コネクター５２ａ〜５２ｃ周辺の構造についても基本的に同様であるため説明を省略する。
【００２６】
中継コネクター５２ｄは図３および図４に示すように、シャーシ４０の取付面４０ａ（上面）に対向配置される対向面６０ａ（下面）と、対向面６０ａの端縁から立設される複数の側面（第１側面６０ｂ〜第４側面６０ｅ）と、対向面６０ａの反対側に配置される反対面６０ｆ（上面）と、を有する。複数の側面は、矢印Ａ方向（第１方向）に配置される第１側面６０ｂと、矢印Ａ方向とは反対の矢印Ａ´方向（第２方向）に配置される第２側面６０ｃと、矢印Ｂ方向（第３方向、矢印ＡＡ´方向に垂直な方向）に配置される第３側面６０ｄと、矢印Ｂ方向とは反対の矢印Ｂ´方向（第４方向）に配置される第４側面６０ｅと、を含んでいる。
【００２７】
第３側面６０ｄおよび第４側面６０ｅには、コネクター５１が取り付けられる取付凹部６０ｇが形成されている。反対面６０ｆは、対向面６０ａとは反対側（上側）に突出する突出部６０ｈを有する。
【００２８】
コネクター５１は、ケーブル５０ｄの端部に設けられているとともに、中継コネクター５２ｄの取付凹部６０ｇに対して着脱可能に構成されている。
【００２９】
シャーシ４０には、中継コネクター５２ｄの第１側面６０ｂに対向配置され、中継コネクター５２ｄが矢印Ａ方向に移動するのを規制する２つの第１規制部４２と、第２側面６０ｃに対向配置され、中継コネクター５２ｄが矢印Ａ´方向に移動するのを規制する第２規制部４３と、反対面６０ｆに対向配置され、中継コネクター５２ｄが取付面４０ａとは反対側（上側）に移動するのを規制する反対面規制部４４と、が一体形成されている。
【００３０】
第１規制部４２の先端部は、取付面４０ａから上側に突出している。また、第１規制部４２は図５に示すように、周囲の一部が切り欠かれることによって、シャーシ４０の厚み方向に弾性変形可能なスナップフィット構造に形成されている。図３の状態（中継コネクター５２ｄをシャーシ４０に取り付けた状態）において、第１規制部４２は中継コネクター５２ｄの第１側面６０ｂに対して所定の隙間を有して又は接触して配置されている。
【００３１】
第２規制部４３は図３に示すように、シャーシ４０の取付面４０ａから上側に突出するとともに、上部が中継コネクター５２ｄの第２側面６０ｃに向かって延びるように形成されている。このため、第２規制部４３と中継コネクター５２ｄの第２側面６０ｃとの間には、矢印ＢＢ´方向に通過可能な隙間Ｓが形成されている。この隙間Ｓには、コネクター５１および中継コネクター５２ｄを介さないケーブル５３（非コネクターケーブル）が挿通されている。また、図３の状態において、第２規制部４３は中継コネクター５２ｄの第２側面６０ｃに対して所定の隙間を有して又は接触して配置されている。
【００３２】
反対面規制部４４は、第２規制部４３の先端部に連続して形成されている。図４の状態（中継コネクター５２ｄをシャーシ４０に取り付けた状態）において、反対面規制部４４は中継コネクター５２ｄの反対面６０ｆの突出部６０ｈに対して所定の隙間を有して又は接触して配置されている。
【００３３】
中継コネクター５２ｄをシャーシ４０に取り付ける場合、ケーブル５３をケーブル係合部４１ａおよび４１ｂに掛けた後、中継コネクター５２ｄを第１規制部４２の上方を通過するように矢印Ａ´方向にスライドさせる。これにより、第１規制部４２は、下方に弾性変形するとともに、中継コネクター５２ｄが第１規制部４２を乗り越えると図６に示すように元の状態に戻り、中継コネクター５２ｄの矢印Ａ方向への移動を規制する。このとき、ケーブル５３は、中継コネクター５２ｄと第２規制部４３との隙間Ｓに挿通された状態になる。その後、コネクター５１を矢印Ｂ方向および矢印Ｂ´方向から取付凹部６０ｇに装着することによって、図３の状態になる。
【００３４】
本実施形態では、上記のように、シャーシ４０には、中継コネクター５２ａ〜５２ｄが矢印Ａ方向に移動するのを規制する第１規制部４２と、中継コネクター５２ａ〜５２ｄが矢印Ａ´方向に移動するのを規制する第２規制部４３と、中継コネクター５２ａ〜５２ｄが取付面４０ａとは反対側に移動するのを規制する反対面規制部４４と、が一体形成されている。これにより、ネジやフック等の取付部材を別途設けることなく、シャーシ４０に一体形成された第１規制部４２、第２規制部４３および反対面規制部４４を用いて中継コネクター５２ａ〜５２ｄをシャーシ４０に取り付けることができる。このため、部品点数の増加を抑制することができるとともに、シャーシ４０に対する中継コネクター５２ａ〜５２ｄの取付作業性を向上させることができる。
【００３５】
また、上記のように、ケーブル５３は、第２規制部４３と中継コネクター５２ａ〜５２ｄとの隙間Ｓに挿通されている。これにより、コネクター５１を介さないケーブル５３をシャーシ４０と中継コネクター５２ａ〜５２ｄとによって固定することができる。すなわち、別途部材を設けることなくケーブル５３をシャーシ４０に固定することができるので、部品点数の増加をより抑制することができる。
【００３６】
また、上記のように、第１規制部４２は、取付面４０ａから突出するとともに、周囲の一部が切り欠かれることによってシャーシ４０の厚み方向に弾性変形可能に形成されている。これにより、シャーシ４０に対する中継コネクター５２ａ〜５２ｄの着脱作業性を容易に向上させることができる。
【００３７】
また、上記のように、反対面規制部４４は、第２規制部４３に連続して形成されている。これにより、第２規制部４３と反対面規制部４４とを別々に形成する場合に比べて、省スペース化することができる。
【００３８】
（第２実施形態）
本発明の第２実施形態では図７〜図９に示すように、シャーシ４０には、中継コネクター５２ｄの第３側面６０ｄに対向配置され、中継コネクター５２ｄが矢印Ｂ方向に移動するのを規制する２つの第３規制部４５と、第４側面６０ｅに対向配置され、中継コネクター５２ｄが矢印Ｂ´方向に移動するのを規制する２つの第４規制部４６と、が一体形成されている。
【００３９】
第３規制部４５および第４規制部４６には、コネクター５１を取付凹部６０ｇに案内する傾斜面４５ａおよび４６ａがそれぞれ形成されている。また、図８に示すように、第３規制部４５の取付面４０ａに対する突出高さＨ４５は、取付面４０ａから取付凹部６０ｇまでの距離Ｌ６０ｇよりも小さい。第４規制部４６は、第３規制部４５と矢印ＢＢ´方向に対称に形成されており、第４規制部４６の取付面４０ａに対する突出高さ（＝Ｈ４５）は、取付面４０ａから取付凹部６０ｇまでの距離Ｌ６０ｇよりも小さい。
【００４０】
第２実施形態のその他の構造は、上記第１実施形態と同様である。
【００４１】
本実施形態では、上記のように、シャーシ４０には、中継コネクター５２ａ〜５２ｄが矢印Ｂ方向に移動するのを規制する第３規制部４５と、中継コネクター５２ａ〜５２ｄが矢印Ｂ´方向に移動するのを規制する第４規制部４６と、が一体形成されている。これにより、中継コネクター５２ａ〜５２ｄがシャーシ４０に対して矢印ＢＢ´方向に移動することも抑制することができる。
【００４２】
また、上記のように、中継コネクター５２ａ〜５２ｄの第３側面６０ｄおよび第４側面６０ｅに取付凹部６０ｇが形成されている場合、中継コネクター５２ａ〜５２ｄに対してコネクター５１を着脱する際に中継コネクター５２ａ〜５２ｄが矢印ＢＢ´方向に移動しやすいので、シャーシ４０に第３規制部４５および第４規制部４６を設けることは、特に有効である。
【００４３】
また、上記のように、第３規制部４５および第４規制部４６には、コネクター５１を取付凹部６０ｇに案内する傾斜面４５ａおよび４６ａがそれぞれ形成されている。これにより、中継コネクター５２ａ〜５２ｄに対するコネクター５１の取付作業性をより向上させることができる。
【００４４】
また、上記のように、第３規制部４５および第４規制部４６の取付面４０ａに対する突出高さＨ４５は、取付面４０ａから取付凹部６０ｇまでの距離Ｌ６０ｇよりも小さい。これにより、中継コネクター５２ａ〜５２ｄに対するコネクター５１の着脱作業性が低下するのを抑制することができる。
【００４５】
第２実施形態のその他の効果は、上記第１実施形態と同様である。
【００４６】
（第３実施形態）
本発明の第３実施形態では図１０〜図１２に示すように、シャーシ４０の取付面４０ａの中継コネクター５２ｄが配置される領域は、シャーシ４０の厚み方向に凹んで形成されている。このため、取付面４０ａの中継コネクター５２ｄが配置される領域の縁部には、第１側面６０ｂに対向配置される第１段差部４０ｂと、第２側面６０ｃに対向配置される第２段差部４０ｃ（第２規制部）と、第３側面６０ｄに対向配置される第３段差部４０ｄ（第３規制部）と、第４側面６０ｅに対向配置される第４段差部４０ｅ（第４規制部）と、が形成されている。
【００４７】
第２段差部４０ｃは、中継コネクター５２ｄが矢印Ａ´方向に移動するのを規制する。第３段差部４０ｄは、中継コネクター５２ｄが矢印Ｂ方向に移動するのを規制する。第４段差部４０ｅは、中継コネクター５２ｄが矢印Ｂ´方向に移動するのを規制する。
【００４８】
また、図１１に示すように、取付面４０ａの中継コネクター５２ｄが配置される領域とその周囲との段差Ｈ４０ａは、中継コネクター５２ｄの対向面６０ａから取付凹部６０ｇまでの距離Ｌ６０ａ（＝Ｌ６０ｇ）よりも小さい。
【００４９】
第３実施形態のその他の構造は、上記第１実施形態と同様である。
【００５０】
本実施形態では、上記のように、取付面４０ａの中継コネクター５２ａ〜５２ｄが配置される領域は、シャーシ４０の厚み方向に凹んで形成されており、第３段差部４０ｄおよび第４段差部４０ｅは、取付面４０ａの中継コネクター５２ｄが配置される領域の縁部に形成される段差部によって構成されている。これにより、中継コネクター５２ａ〜５２ｄが矢印ＢＢ´方向に移動するのを容易に抑制することができる。
【００５１】
また、上記のように、取付面４０ａの中継コネクター５２ａ〜５２ｄが配置される領域とその周囲との段差Ｈ４０ａは、中継コネクター５２ａ〜５２ｄの対向面６０ａから取付凹部６０ｇまでの距離Ｌ６０ａよりも小さい。これにより、中継コネクター５２ａ〜５２ｄに対するコネクター５１の着脱作業性が低下するのを抑制することができる。
【００５２】
第３実施形態のその他の効果は、上記第１および第２実施形態と同様である。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
例えば、上記実施形態では、画像形成装置に本発明を適用した例について示したが、本発明はこれに限らない。言うまでもなく、中継コネクターの取付構造を備えた種々の電子機器に本発明を適用できる。
【００５５】
また、上記実施形態では、コネクター５１を介さない非コネクターケーブルとしてケーブル５３を例に挙げて説明したが、本発明はこれに限らない。中継コネクター５２ｃ周辺においてはケーブル５０ｄおよび５３が非コネクターケーブルであり、中継コネクター５２ｂ周辺においてはケーブル５０ｃ、５０ｄおよび５３が非コネクターケーブルであり、中継コネクター５２ａ周辺においてはケーブル５０ｂ、５０ｃ、５０ｄおよび５３が非コネクターケーブルである。
【符号の説明】
【００５６】
４０  シャーシ
４０ａ  取付面
４０ｃ  第２段差部（第２規制部）
４０ｄ  第３段差部（第３規制部）
４０ｅ  第４段差部（第４規制部）
４２  第１規制部
４３  第２規制部
４４  反対面規制部
４５  第３規制部
４５ａ  傾斜面
４６  第４規制部
４６ａ  傾斜面
５０ａ〜５０ｄ  ケーブル
５１  コネクター
５２ａ〜５２ｄ  中継コネクター
５３  ケーブル（非コネクターケーブル）
６０ａ  対向面
６０ｂ  第１側面（側面）
６０ｃ  第２側面（側面）
６０ｄ  第３側面（側面）
６０ｅ  第４側面（側面）
６０ｆ  反対面
６０ｇ  取付凹部
Ｈ４０ａ  段差
Ｈ４５  突出高さ
Ｌ６０ａ、Ｌ６０ｇ  距離
１００  画像形成装置（電子機器）
【図１】
0006477595.tif 000002
【図２】
0006477595.tif 000003
【図３】
0006477595.tif 000004
【図４】
0006477595.tif 000005
【図５】
0006477595.tif 000006
【図６】
0006477595.tif 000007
【図７】
0006477595.tif 000008
【図８】
0006477595.tif 000009
【図９】
0006477595.tif 000010
【図１０】
0006477595.tif 000011
【図１１】
0006477595.tif 000012
【図１２】
0006477595.tif 000013